(57)【要約】【課題】受取ボックス内に入れられた物品が受け取り可能なものか否かを事前に知ることのできる技術を提供する。【解決手段】受取ボックス１５では、食材が受取ボックス１５内に納められる際、バーコード読取装置又は無線受信装置が各食材に添付されたバーコード又は無線タグの情報を自動的に読み取る。配送が予定されている食材の情報が読み取られた場合（食材が受け取り可能と判別された場合）は、受取ボックス１５の表示パネルで各食材の収納位置が示されると共に、読み取られた食材の情報が表示端末１４で表示さる。一方、配送が予定されていない食材の情報が読み取られた場合（食材が受け取り可能と判別されなかった場合）は、表示パネルで警告が表示される。警告が表示されたにもかかわらず、予定されていない食材等の物品が収容された場合も、その旨の情報が表示端末１４で表示される。【選択図】図１
2009125416.tif 000002
【特許請求の範囲】
【請求項１】
住宅に設けられ、物品の受け取りに利用される受取ボックスであって、
物品受入部に物品が入れられた時に、当該物品が受け取り可能か否かを判別する判別手段を備える受取ボックス。
【請求項２】
前記物品受入部と別個に設けられ、前記判別手段により受け取り可能と判別された物品を収容する物品収容部と、
前記受け取り可能と判別された物品を、前記物品受入部から前記物品収容部に移動させる移動手段とをさらに備える請求項１に記載の受取ボックス。
【請求項３】
住宅に設けられ、物品の受け取りに利用される受取装置であって、
受取ボックスに物品が入れられた時に、当該物品が受け取り可能か否かを判別する判別手段と、
当該判別手段により受け取り可能と判別された物品を収容する物品収容部と、
前記受け取り可能と判別された物品を、前記受取ボックスから前記物品収容部に移動させる移動手段とを備える受取装置。
【請求項４】
前記受取ボックスは、物品が入れられた時に、前記物品に付与された物品情報を読み取る物品情報読取部を備え、
前記判別手段は、前記物品情報読取手段が読み取った物品情報と、予め規定された規定内容とが一致する場合、受け取り可能な物品と判別することを特徴とする請求項３の受取装置。
【請求項５】
今後配送される物品の物品情報を取得する物品情報取得手段をさらに備え、
前記物品情報読取部は、前記物品に対して取り付けられた標示片に付与された物品情報を読み取るものであり、
前記判別手段は、前記物品情報読取部が読み取った物品情報と、前記物品情報取得手段が取得している物品情報とが一致する場合、受け取り可能な物品と判別することを特徴とする請求項４に記載の受取装置。
【請求項６】
前記判別手段により受け取り可能な物品と判別されなかった場合、警告を行う警告部をさらに備える請求項４又は５に記載の受取装置。
【請求項７】
前記物品情報読取部により読み取られた物品情報を配送業者が認識可能に表示する表示手段をさらに備えることを特徴とする請求項４から６のいずれか１つに記載の受取装置。
【請求項８】
前記受取ボックスの前面に設けられた第１扉を解錠する解錠手段をさらに備え、
当該解錠手段は、暗証番号を入力する入力部を有し、事前に決定された暗証番号が当該入力部から入力された場合にのみ第１扉の解錠を行うことを特徴とする請求項３から７のいずれか１つに記載の受取装置。
【請求項９】
前記受取ボックスは、前面に設けられた第１扉と、ボックス内に設けられ前記物品収容部に通じる第２扉と、物品が入れられた時に、前記物品に付与された物品情報を読み取る物品情報読取部とをさらに備え、
前記物品情報読取部が読み取った物品情報と、予め規定された規定内容とが一致した場合にのみ第２扉が開放されることを特徴とする請求項５から８のいずれか１つに記載の受取装置。
【請求項１０】
前記物品収容部は、物品の保存温度に応じて複数備えられており、
前記受取ボックスは、物品が入れられた時に、前記物品に対して取り付けられた標示片に付与された保存温度の情報を読み取る保存温度情報読取部と、当該保存温度情報読取部が読み取った保存温度に応じた物品収容部を配送業者が認識可能に表示する収容部表示部とをさらに備えることを特徴とする請求項３から９のいずれかに記載の受取装置。
【請求項１１】
今後配送される物品の物品情報を取得する物品情報取得手段をさらに備え、
当該物品情報取得手段が取得している物品情報をユーザが認識可能に表示する表示手段をさらに備える請求項３から１０のいずれか１つに記載の受取装置。
【請求項１２】
前記物品は食材であり、
調理予定の食事に適用される予定献立を記憶している予定献立記憶手段と、
前記予定献立に基づき購入が必要な食材を算出する購入食材算出手段と、
調理者が調理を開始することが可能な時刻を記憶している調理開始時刻記憶手段と、
前記購入食材の配送業務に必要な時間を記憶している配送業務時間記憶手段と、
前記調理開始時刻記憶手段に記憶されている調理開始時刻と、前記配送業務時間記憶手段に記憶されている配送業務時間とに基づくタイミングで配送業者に前記購入食材を発注する発注手段とをさらに備える請求項３から１１のいずれか１つに記載の受取装置。
【請求項１３】
前記予定献立記憶手段は、所定期間内に実施される複数の食事に適用される予定献立を記憶しており、
前記配送業者が配送を実施する所定間隔を記憶している配送間隔記憶手段をさらに備え、
前記発注手段は、前記配送間隔に基づき、各配送実施時に配送が必要な複数の食事のための食材を発注することを特徴とする請求項１２に記載の受取装置。
【請求項１４】
前記予定献立を自動作成する予定献立作成手段をさらに備え、
当該予定献立作成手段は、前記発注手段の発注前であり、かつ前記購入食材算出手段の算出が終了する時点までに前記予定献立を作成することを特徴とする請求項１２又は１３に記載の受取装置。
【請求項１５】
ユーザの健康状態を示す情報を日ごとに取得する健康状態取得手段をさらに備え、
前記予定献立作成手段は、前記取得された健康状態を考慮して献立を作成することを特徴とする請求項１４に記載の受取装置。
【請求項１６】
ユーザの消費カロリーを示す情報と当該情報が取得される時刻とを対応付けて取得する消費カロリー取得手段と、
ユーザのスケジュールを記憶しているスケジュール記憶手段とをさらに備え、
前記予定献立作成手段は、現時点以前のスケジュールに含まれており前記消費カロリー情報が取得された時刻から把握される活動内容と、現時点より後のスケジュールに含まれる活動内容とを対応させ、前記取得された消費カロリーに基づいて摂取必要カロリーを算出し、当該摂取必要カロリーを考慮して献立を作成することを特徴とする請求項１４又は１５に記載の受取装置。
【請求項１７】
ユーザが過去にとった食事の献立、及び予定が確定された食事の献立を取得する献立取得手段をさらに備え、
前記予定献立作成手段は、現時点以前の所定期間内にとった食事の献立、及び現時点より後の所定期間内にとる予定の食事の献立を除いて献立を作成することを特徴とする請求項１４から１６のいずれか１つに記載の受取装置。
【請求項１８】
前記予定献立作成手段は、現時点より後の各ユーザのスケジュールから把握される献立作成対象人数を考慮して献立を作成することを特徴とする請求項１６又は１７に記載の受取装置。
【請求項１９】
前記現時点より後のスケジュールが変更された場合、変更されたスケジュールから把握される献立作成対象人数を考慮して献立を再作成することを特徴とする請求項１８に記載の受取装置。
【請求項２０】
食材保管庫に保管されている食材の情報を取得する保管食材情報取得手段をさらに備え、
前記購入食材算出手段は、前記保管食材情報取得手段により取得された保管食材情報を考慮して、前記購入が必要な食材を算出することを特徴とする請求項１３から１９のいずれか１つに記載の受取装置。
【発明の詳細な説明】
【技術分野】
【０００１】
本発明は、宅配物等の物品を受け取るために利用される受取ボックス及び受取装置に関する。
【背景技術】
【０００２】
住宅の住人が不在であっても宅配物等の物品を受け取るための受取ボックスが提案されている（例えば、特許文献１及び特許文献２）。これらの受取ボックスでは、宅配業者等がボックスに物品を収容すると自動的に扉が開放不能に施錠され、住宅の住人はキー操作によって扉を開放できる。これにより、住宅の住人が不在時であっても宅配物等の荷物を安全かつ確実に受け取ることができる。
【特許文献１】特開平８−２８４５０６号公報
【特許文献２】特開平９−９４１５４号公報
【発明の開示】
【発明が解決しようとする課題】
【０００３】
上記受取ボックスでは、住宅の住人がボックスの扉を開放する前に、ボックス内に収容されている荷物がどのようなものか知ることできない。したがって、例えばいたずら等により住宅の住人が受け取りたくない物品が入れられても事前に知ることはできず、扉を開放して確かめざるを得ない。
【０００４】
本発明は、受取ボックス内に入れられた物品が受け取り可能なものか否かを事前に知ることのできる技術を提供することを主たる目的とするものである。
【課題を解決するための手段】
【０００５】
本発明は、上記課題を解決するために、以下の手段を採用した。
【０００６】
すなわち、第１の手段は、住宅に設けられ、物品の受け取りに利用される受取ボックスであって、物品受入部に物品が入れられた時に、当該物品が受け取り可能か否かを判別する判別手段を備える受取ボックスである。
【０００７】
物品の受け取りに利用される受取ボックスは、例えば玄関先や勝手口の脇等の戸口の近傍等、ユーザ（住宅の住人）が留守であっても配送業者等が物品を入れやすい場所に設けられることが好ましい。第１の手段の受取ボックスでは、物品はまず物品受入部に入れられ、この時に物品が受け取り可能か否かが判別される。ここで、受け取り可能と判別される物品としては、例えば宅配物、郵送物等が挙げられるが、ユーザ自身は受取ボックス内を確認しなくても、物品が受け取り可能なものであるか否かを事前に知ることができる。
【０００８】
第２の手段は、前記物品受入部と別個に設けられ、前記判別手段により受け取り可能と判別された物品を収容する物品収容部と、前記受け取り可能と判別された物品を、前記物品受入部から前記物品収容部に移動させる移動手段とをさらに備える受取ボックスである。
【０００９】
第２の手段によれば、ユーザは、受取ボックスの物品受入部に入れられた物品のうち受け取り可能と判別されたものだけを物品収容部から受け取ることが可能となる。
【００１０】
第３の手段は、住宅に設けられ、物品の受け取りに利用される受取装置であって、受取ボックスに物品が入れられた時に、当該物品が受け取り可能か否かを判別する判別手段と、当該判別手段により受け取り可能と判別された物品を収容する物品収容部と、前記受け取り可能と判別された物品を、前記受取ボックスから前記物品収容部に移動させる移動手段とを備えるものである。
【００１１】
受取装置としては、住宅に付随して設けられるホームサーバや住宅内ネットワークシステム等を構成要素として好適に利用することができ、その他にもユーザ（住宅の住人）の個人用パソコン等を構成要素として利用することができる。第３の手段によれば、ユーザは、受取ボックスに入れられた物品のうち受け取り可能と判別されたものだけを物品収容部から受け取ることが可能となる。
【００１２】
第４の手段では、前記受取ボックスは、物品が入れられた時に、前記物品に付与された物品情報を読み取る物品情報読取部を備え、前記判別手段は、前記物品情報読取手段が読み取った物品情報と、予め規定された規定内容とが一致する場合、受け取り可能な物品と判別する。
【００１３】
第４の手段では、例えば宅配物、郵送物等の受け取り可能と判別される物品の大きさ・形状・色・重量・外装の文字等の内容を予め規定しておく。そして、物品が入れられた時に読み取った物品情報がその規定内容と一致する場合に受け取り可能な物品と判別する。これにより、ユーザは規定内容と一致する受け取り可能な物品のみを受け取ることができる。
【００１４】
第５の手段は、今後配送される物品の物品情報を取得する物品情報取得手段をさらに備え、前記物品情報読取部は、前記物品に対して取り付けられた標示片に付与された物品情報を読み取るものであり、前記判別手段は、前記物品情報読取部が読み取った物品情報と、前記物品情報取得手段が取得している物品情報とが一致する場合、受け取り可能な物品と判別する。
【００１５】
例えば物品が宅配の食材であり、食材の種類・分量・賞味期限・価格等の物品情報が付与された標示片が取り付けられた場合、この物品情報を事前に取得しておき、食材が入れられた時に受取ボックスで読み取るようにすれば、配送が予定されていた食材が実際に配送されたか否かを確認することができる。あるいは、物品が書留の郵送物であり、差出人・差出日・受取人住所等の物品情報が付与された標示片が取り付けられた場合、この物品情報を事前に取得しておき、物品が入れられた時に受取ボックスで読み取るようにすれば、配送が予定されていた郵送物が実際に配送されたか否かを確認することができる。
【００１６】
第６の手段は、前記判別手段により受け取り可能な物品と判別されなかった場合、警告を行う警告部をさらに備える。
【００１７】
第６の手段によれば、配送業者による物品の入れ間違いや、いたずら等を防止することができる。
【００１８】
第７の手段は、前記物品情報読取部により読み取られた物品情報を配送業者が認識可能に表示する表示手段をさらに備える
第７の手段によれば、配送業者が受取ボックスに入れた物品の情報を確認することができ、入れ間違い等の防止が可能となる。
【００１９】
第８の手段は、前記受取ボックスの前面に設けられた第１扉を解錠する解錠手段をさらに備え、当該解錠手段は、暗証番号を入力する入力部を有し、事前に決定された暗証番号が当該入力部から入力された場合にのみ第１扉の解錠を行う。
【００２０】
第８の手段によれば、暗証番号を事前に知っているユーザや配送業者のみが受取ボックスを開放することができ、いたずら等を有効に防止することができる。
【００２１】
第９の手段では、前記受取ボックスは、前面に設けられた第１扉と、ボックス内に設けられ前記物品収容部に通じる第２扉と、物品が入れられた時に、前記物品に付与された物品情報を読み取る物品情報読取部とをさらに備え、前記物品情報読取部が読み取った物品情報と、予め規定された規定内容とが一致した場合にのみ第２扉が開放される。
【００２２】
受取ボックス内部に設けられた第２扉により物品収容部が区分されている場合、事前に取得された物品情報と読み取られた物品情報とが一致した場合にのみ第２扉を開放するようにすれば、ユーザは規定内容と一致する受け取り可能な物品のみを受け取ることができる。
【００２３】
第１０の手段では、前記物品収容部は、物品の保存温度に応じて複数備えられており、前記受取ボックスは、物品が入れられた時に、前記物品に対して取り付けられた標示片に付与された保存温度の情報を読み取る保存温度情報読取部と、当該保存温度情報読取部が読み取った保存温度に応じた物品収容部を配送業者が認識可能に表示する収容部表示部とをさらに備える。
【００２４】
例えば食材のように、物品に適した保存温度の情報が物品情報に含まれており、受取ボックスが異なる保存温度の物品収容部を備えている場合、第１０の手段では、配送業者に対して各物品を受取ボックスのどの収容部に収容すればよいのかが表示されるため、配送業者の仕分けの手間が容易化される。
【００２５】
第１１の手段は、今後配送される物品の物品情報を取得する物品情報取得手段をさらに備え、当該物品情報取得手段が取得している物品情報をユーザが認識可能に表示する表示手段をさらに備える。
【００２６】
今後配送される物品情報が、キッチンに設けられたモニタや携帯端末の表示パネル等で表示されれば、ユーザはどのような物品が配送されるかを事前に知ることができ、利便性が向上する。
【００２７】
第１２の手段では、前記物品は食材である。そして、調理予定の食事に適用される予定献立を記憶している予定献立記憶手段と、前記予定献立に基づき購入が必要な食材を算出する購入食材算出手段と、調理者が調理を開始することが可能な時刻を記憶している調理開始時刻記憶手段と、前記購入食材の配送業務に必要な時間を記憶している配送業務時間記憶手段と、前記調理開始時刻記憶手段に記憶されている調理開始時刻と、前記配送業務時間記憶手段に記憶されている配送業務時間とに基づくタイミングで配送業者に前記購入食材を発注する発注手段とをさらに備える。
【００２８】
ライフスタイルの多様化により、調理者たるユーザが調理を開始することが可能な時刻は様々に異なるが、献立に利用する食材が調理開始可能時刻に合せて配送されることが好ましい。また、配送業者側では、発注を受けてから配送が完了するまで、食材調達、梱包、運搬等の配送業務に時間がかかるため、これらの時間を考慮する必要がある。この点、第１２の手段では、調理開始が可能な時刻と、配送業務時間とを考慮したタイミングで配送業者に食材を発注する。例えば、調理開始可能時刻が午後７時で、配送業務に必要な時間が３時間であれば、少なくとも午後４時までには自動的に発注を行う。これにより、その時間にユーザ自身が発注処理を行う必要がないとともに、調理開始可能時刻に合せた適切なタイミングで配送が完了することとなり、ユーザの利便性が向上する。
【００２９】
第１３の手段では、前記予定献立記憶手段は、所定期間内に実施される複数の食事に適用される予定献立を記憶しており、前記配送業者が配送を実施する所定間隔を記憶している配送間隔記憶手段をさらに備え、前記発注手段は、前記配送間隔に基づき、各配送実施時に配送が必要な複数の食事のための食材を発注する。
【００３０】
例えば、月曜日から水曜日までの３日間（所定期間内）に実施される食事として「月曜日〜水曜日の各朝食、月曜日・水曜日の各昼食、月曜日〜水曜日の各夕食」に適用される予定献立が記憶されており、配送業者が配送を実施する曜日・時刻（所定間隔）として、「月曜日・午後５時、水曜日・午後５時」が記憶されているとする。この場合、「月曜日・午後５時」の配送実施時に配送が必要な食材は「月曜日の夕食、火曜日の朝食・夕食、水曜日の朝食・昼食」用のものであり、「水曜日・午後５時」の配送実施時に配送が必要な食材は「水曜日の夕食」用のものである（なお、夕食の調理開始可能時刻が午後５時より前の場合は変わり得る）。第１３の手段では、各配送実施時に配送が必要な食材を発注するため、調理に使用する食材の過不足を抑えることができ、ユーザの利便性をさらに向上させることが可能となる。
【００３１】
第１４の手段は、前記予定献立を自動作成する予定献立作成手段をさらに備え、当該予定献立作成手段は、前記発注手段の発注前であり、かつ前記購入食材算出手段の算出が終了する時点までに前記予定献立を作成する。
【００３２】
予定献立を作成する手法としては種々の従来技術（例えば、特開２００２−９２３０７号公報に記載の技術）を用いることができるが、予定献立の作成が、食材の発注前、かつ購入食材の算出が終了するまでに行われていれば、適切なタイミングで食材発注を実行することが可能となる。
【００３３】
第１５の手段は、ユーザの健康状態を示す情報を日ごとに取得する健康状態取得手段をさらに備え、前記予定献立作成手段は、前記取得された健康状態を考慮して献立を作成する。
【００３４】
ユーザの健康状態は日々変化することが多い。第１５の手段では、健康状態取得手段により、健康状態を示す情報を日ごとに取得する。健康状態取得手段としては、例えば便器内に設置されてユーザの排泄物から血糖値等の測定を行う機器や、ユーザが便座に着座したときの足裏位置及び便座に設置されてユーザが便座を使用している間に体重、体脂肪、脈拍、体温及び骨密度を測定するセンサや、ユーザの体重、体脂肪、脈拍、体温及び骨密度を測定する体脂肪計付き体重計や床に設置したセンサ等を採用することができる。これにより、最新の健康状態を考慮した適切な献立を作成することができる。
【００３５】
第１６の手段は、ユーザの消費カロリーを示す情報と当該情報が取得される時刻とを対応付けて取得する消費カロリー取得手段と、ユーザのスケジュールを記憶しているスケジュール記憶手段とをさらに備え、前記予定献立作成手段は、現時点以前のスケジュールに含まれており前記消費カロリー情報が取得された時刻から把握される活動内容と、現時点より後のスケジュールに含まれる活動内容とを対応させ、前記取得された消費カロリーに基づいて摂取必要カロリーを算出し、当該摂取必要カロリーを考慮して献立を作成する。
【００３６】
第１６の手段では、例えば歩数計で計測された歩数から算出された消費カロリーを取得し、その消費カロリーが取得された時刻と、その時刻に対応するスケジュールとに基づいて、どのような活動内容でどの程度のカロリーが消費されたのかの実績が把握される。例えば、過去のスケジュールでは月曜日の午前５時半〜午前６時半に「ジョギング」を行っていたとされ、その時間に消費されたカロリーが６００キロカロリーと算出された場合、「ジョギング」での消費カロリーは「１０キロカロリー／分」という実績が把握される。そして、将来のスケジュールで水曜日に「ジョギング」を３０分行う予定が含まれていれば、その時間の消費カロリーは３００キロと算出される。このようにして、１日の活動内容全般に亘って、過去の活動内容における消費カロリー実績を対応させれば、どのくらいの摂取カロリーが必要かを算出することができ、ユーザの必要摂取カロリーに応じた献立を作成することが可能となる。
【００３７】
第１７の手段は、ユーザが過去にとった食事の献立、及び予定が確定された食事の献立を取得する献立取得手段をさらに備え、前記予定献立作成手段は、現時点以前の所定期間内にとった食事の献立、及び現時点より後の所定期間内にとる予定の食事の献立を除いて献立を作成する。
【００３８】
ユーザが過去にとった食事の献立は、例えば学童が通う学校の給食履歴や、ユーザが携帯する携帯端末から入力された食事内容等から把握される。また、予定が確定された食事の献立は、学校の給食履歴や食事会のメニュー等から把握される。第１７の手段では、これら把握された献立のうち所定期間内（例えば１０日以内、二週間以内等）のものを除いて献立を作成する。これにより、同じ献立が短期間に繰り返されることを防止できる。
【００３９】
第１８の手段では、前記予定献立作成手段は、現時点より後の各ユーザのスケジュールから把握される献立作成対象人数を考慮して献立を作成する。
【００４０】
第１８の手段によれば、例えば家族の一部メンバーが外食等で欠ける場合や、来客で人数が増える場合にも対応した献立を作成することができる。
【００４１】
第１９の手段は、前記現時点より後のスケジュールが変更された場合、変更されたスケジュールから把握される献立作成対象人数を考慮して献立を再作成する。
【００４２】
第１９の手段によれば、食事を取る人数が変更した場合にも柔軟に対応することが可能となる。
【００４３】
第２０の手段は、食材保管庫に保管されている食材の情報を取得する保管食材情報取得手段をさらに備え、前記購入食材算出手段は、前記保管食材情報を考慮して、前記購入が必要な食材を算出する。
【００４４】
食材保管庫としては、冷蔵庫、冷凍庫及び常温保存用収納庫等が挙げられる。また、保管食材情報取得手段としては、食材撮像装置や、食材に取り付けられたバーコード又は無線タグの情報を読み取る読取装置等が挙げられ、食材の識別情報・種類・分量・賞味期限等の情報を取得する。第２０の手段によれば、食材保管庫に存在し使用可能な食材が除外されるため、無駄な購入を抑えることができる。
【発明を実施するための最良の形態】
【００４５】
以下に、一実施の形態について図面を参照しつつ説明する。なお、図１は、システムの全体構成の概略を示す。
【００４６】
本システムにおいて、住宅１内に設けられたホームサーバ２０は、主として献立作成処理と、購入食材計算処理と、食材発注処理と、食材受取処理とを実行する機能を有するものであり、システム全体の制御を統括する。
【００４７】
ホームサーバ２０は、住宅内ネットワーク線によって、トイレ内設備１１と、風呂内設備１２と、入力端末１３と、表示端末１４と、受取ボックス１５と、保管庫１６とに接続されている。
【００４８】
トイレ内設備１１は、便器内に設置されてユーザの排泄物から血糖値等の測定を行う機器や、ユーザが便座に着座したときの足裏位置及び便座に設置されてユーザが便座を使用している間に体重、体脂肪、脈拍、体温及び骨密度を測定するセンサ等である。風呂内設備１２は、ユーザの体重、体脂肪、脈拍、体温及び骨密度を測定する機器であり、体脂肪計付き体重計や床に設置したセンサ等を採用することができる。また、入力端末１３は、タッチパネルディスプレイに操作メニュー等を表示するとともに、そのタッチパネルディスプレイの画面タッチに伴いユーザによる入力操作を受付けるものである。これらトイレ内設備１１及び風呂内設備１２により測定されたデータと、入力端末１３からユーザにより入力されたデータは、ホームサーバ２０に送信される。
【００４９】
ホームサーバ２０からは、表示端末１４に各種情報が送信され、送信された情報は表示端末１４にて画像、映像又は音声により表示される。また、ホームサーバ２０は、受取ボックス１５及び保管庫１６との間でデータのやり取りが可能となっている。
【００５０】
受取ボックス１５は、配送された食材を一時的に保管するために使用されるものである。図２（ａ）に例示するように、受取ボックス１５は、玄関ドア１７の脇に設けられている。受取ボックス１５の扉１５ａには解錠装置１５ｂが備えられ、この解錠装置１５ｂに暗証番号を入力すると、ボックスの扉１５ａが解錠される。これにより、食材集配業者は、ユーザが在宅していなくても食材を納めることができる。図２（ｂ）に例示するように、受取ボックス１５の内部は、冷蔵部１５１、冷凍部１５２及び常温部１５３に分割されている。受取ボックス１５の扉１５ａの内側には、バーコード読取装置１５ｃ又は無線受信装置１５ｃが設けられており、収納される食材に添付されたバーコードや無線タグから情報を読み取ることができる。受取ボックス１５の扉１５ａの内側には、冷蔵部１５１、冷凍部１５２及び常温部１５３の位置に対応した表示パネル１５ｄが設けられ、各食材の情報が読み取られると、冷蔵部１５１、冷凍部１５２又は常温部１５３のどの位置に収納すればよいのかが表示される。これにより、食材集配業者は、各食材を適切な位置に納めることができる。一方、収納が予定されていない食材の情報が読取られた場合は、表示パネル１５ｄで警告が表示され、食材集配業者がその食材を収容することが防止される。また、冷蔵部１５１、冷凍部１５２及び常温部１５３のそれぞれの奥壁は、住宅１内の玄関側から開閉可能とされ、ユーザは玄関側から食材を取り出すことができる。
【００５１】
保管庫１６は、冷蔵庫、冷凍庫及び常温保存用収納庫等、食材を保管するために使用されるものであり、通常はキッチンに設置されている。保管庫１６にも、バーコード読取装置又は無線受信装置が設けられ、庫内に保管されている食材の情報を把握することができる。
【００５２】
また、ホームサーバ２０は、外部の通信網を介して、学校のサーバ３１、職場のサーバ３２、病院のサーバ３３、携帯端末３４及び食材集配業者のサーバ３５とも情報交換が可能となっている。なお、学校サーバ３１、職場サーバ３２及び病院サーバ３３からは個人情報が送信されるため、専用線を介することが好ましい。
【００５３】
学校サーバ３１にはユーザの健康診断結果や給食内容の詳細情報等が蓄積され、職場サーバ３２にも健康診断結果の情報等が蓄積されている。また、病院サーバ３３には健康診断結果に加え、病歴、アレルギー等の健康に関する情報が蓄積されている。これら情報へのアクセス要求がホームサーバ２０から送信されることにより、必要な情報が適宜取得される。
【００５４】
携帯端末３４は、ボタン等による入力操作が可能であるとともに歩数計測機能を有し、小型で携帯しても邪魔になりにくくかつ常備しやすいものである。例えば、ベルトに装着可能なベルト装着式携帯端末３４や、腕時計に歩数計機能を付加した構成の腕時計式携帯端末３４や、携帯端末３４本体にネックチェーンを取り付けた構成のペンダント式携帯端末３４や、同携帯端末３４本体にバネフックやバッジピンを取り付けた構成のバッジ式携端末等として具現化することが考えられる。また、スマートキーシステムで使用される電子キーを携帯端末３４として用いたり、日常的に使用される携帯電話を携帯端末３４として用いたり、通信機能を有するＩＣカードを携帯端末３４として用いたりすることもできる。携帯端末３４から入力された情報や計測された歩数が、ホームサーバ２０からの要求等に応じて、適宜送信される。
【００５５】
食材集配業者サーバ３５は、食材集配業者に付随して設けられているが、本実施形態における食材集配業者は、複数の食材業者（食材調達元）から必要な種類・分量の食材を調達し、調達した食材をまとめてユーザ（配送先）に配送する。そして食材集配業者サーバ３５は、各食材業者（食材調達元）から得た旬の食材、安売り食材等の情報を記憶している。また、食材調達のために必要な時間（又は食材調達開始時間）や、梱包に必要な時間や、運搬に必要な時間等の配送業務時間の情報も蓄積している。これら情報は、ホームサーバ２０からアクセス要求信号が送信されることにより適宜取得される。さらに、食材集配業者サーバ３５は、食材配送準備処理を実行する機能を有し、この処理のために、ユーザ（配送先）の氏名、住所、電話番号、ホームサーバ２０のＩＰアドレス等のデータが蓄積されている。また、ホームサーバ２０から送信された発注食材の情報が蓄積され、この情報に基づいて業者は食材を調達し配送準備を行うことが可能となる。
【００５６】
次に、本実施形態のシステムにおいて実行される処理について概要を説明する。図３に示すように、ホームサーバ２０では、（１）献立作成処理と、（２）購入食材計算処理と、（３）食材発注処理とが実行される。献立作成処理は、所定期間ごとに実行される。献立作成処理が終了すると、続けて購入食材計算処理が実行される。一方、食材発注処理は、ユーザが食材を受取ることが可能な日ごとに実行される。食材発注処理が終了すると、食材集配業者サーバ３５へ発注情報が送信され、食材集配業者サーバ３５は（４）食材配送準備処理を実行することが可能となる。食材配送準備処理が終了すると、適切な時刻に食材が配送され、受取ボックス１５で（５）食材受取処理が実行される。以下、これら（１）〜（５）の各処理について詳細に説明する。
【００５７】
（１）献立作成処理
献立作成処理は、所定期間ごとに実行されるが、この所定期間はユーザにより任意に設定される。なお、本実施形態では、献立作成処理の開始時刻を一定の所定時刻に設定し、同日に食材発注処理が行われる場合に合わせて一律化している。献立作成処理が開始される所定時刻は、食材発注処理の開始時刻を考慮して設定されるが、図３に示すように、この食材発注処理の開始時刻は、配送業務時間（食材調達、梱包、運搬等に必要な時間。食材集配業者サーバ３５から取得）を考慮して設定される。例えば、食材調達開始時刻（例えば午前１１時に調達開始）を考慮すると、午前１１時より前に食材発注処理が完了していなければならず、さらにその前に献立作成処理が開始される必要がある。このようにして献立作成処理を開始する所定時刻が設定される。本実施形態では、火曜日・木曜日・土曜日の午前９時に、献立作成処理を開始するものとする。
【００５８】
ホームサーバ２０は、献立作成プログラムに基づいて、各ユーザに適した献立を作成する処理を実行する。ホームサーバ２０には、献立データベースが記憶されており、種々条件に沿った最適な献立をデータベースから抽出する。抽出方法としては、種々の従来方法を用いることができる（例えば、特開２００２−９２３０７号公報）。本実施形態では、抽出手順として、最初に必要摂取カロリーと栄養素を算出するが、病気やアレルギー等によるカロリー制限や食材制限が考慮される。この算出に用いられる情報は、以下のものである；
・トイレ内設備１１によって測定される血糖値、体重、体脂肪、脈拍、体温及び骨密度、
・風呂内設備１２によって測定される体重、体脂肪、脈拍、体温及び骨密度、
・学校サーバ３１から取得される健康診断結果の情報、
・職場サーバ３２から取得される健康診断結果の情報、
・病院サーバ３３から取得される健康診断結果、病歴、アレルギー等の情報、
・携帯端末３４によって計測される歩数、
・ホームサーバに蓄積されている各ユーザのスケジュール（過去の所定期間分も含む）
本実施形態では、トイレ内設備１１によって測定される値と、風呂内設備１２によって測定される値を用いて算出を行うため、日々変化する最新の健康状態に対応した献立を作成することができる。また、計測された歩数に基づき消費カロリーを計算し、その歩数が計測された時点に対応する過去のスケジュールからどのような活動をしてどれだけのカロリーを消費したかを把握する。そして、将来のスケジュールに含まれている同様の活動内容と照応させ、必要摂取カロリーを計算する。例えば、過去のスケジュールでは月曜日の午後５時〜午後６時に「散歩」を行っていたとされ、その時間に消費されたカロリーが３００キロカロリーと算出された場合、「散歩」での消費カロリーは「５キロカロリー／分」という実績が把握される。そして、将来のスケジュールで水曜日に「散歩」を３０分行う予定が含まれていれば、その時間の消費カロリーは１５０キロと算出される。このようにして、１日の活動内容全般に亘って、過去の活動内容における消費カロリー実績を対応させれば、どのくらいの摂取カロリーが必要かを算出することができ、ユーザの必要摂取カロリーに応じた献立を作成することが可能となる。
【００５９】
次に、以下の情報を取得し、所定期間内（例えば過去１０日以内）に実施した献立を繰り返すことがないように、かつ既に予定されている献立と重複しないように考慮しながら、最適な献立を抽出する；
・食材集配業者サーバ３５に記憶されている旬の食材、安売り食材等の情報、
・学校サーバ３１に記憶されている給食の献立履歴及び予定献立情報、
・携帯端末３４から入力される食事（外食）内容の情報、
・ホームサーバ２０に記憶されている過去の献立履歴、
・ホームサーバに記憶されている各ユーザの予定スケジュール（献立作成の対象人数）、
・ホームサーバに記憶されている調理者ユーザの調理開始可能時刻、
・入力端末１３から入力される料理ジャンルの情報（「和風」「中華」「洋風」等の情報）、ユーザ優先情報（高齢者用の献立を優先する、幼児用の献立を優先する等）。
【００６０】
なお、１回の食事では使い切れない食材を使用する場合、作成対象期間内に複数回その食材を使用する献立を作成し、所定期間内にその食材を使いきるようにしておくことが好ましい。
【００６１】
上記のように作成された献立は、ホームサーバ２０に蓄積される。本実施形態における献立作成例が、図４に例示されている。この献立は、３人のユーザ（住宅１の住人）を対象にして作成したものである。本実施形態では、火曜日・木曜日・土曜日の午前９時に献立作成処理を開始し、配送は夕食調理開始時刻に合わせて夕方に行われる。したがって、図４（ａ）に示すように、火曜日に「火曜日の夕食〜木曜日の昼食の献立」を作成し、木曜日に「木曜日の夕食〜土曜日の昼食の献立」を作成し、土曜日に「土曜日の夕食〜次週の火曜日の昼食の献立」を作成する。図４（ｂ）の「献立」欄では、１週間に亘り朝食・昼食・夕食の献立が作成された例を示している。なお、この例では、「月曜日の朝食〜火曜日の昼食の献立」は前週の土曜日に作成されており、日曜日の昼食・夕食は外食の予定で献立は作成されていない。
【００６２】
（２）購入食材計算処理
上記献立作成処理が終了する度に、続けてホームサーバ２０は、購入食材計算プログラムに基づいて、新たに購入が必要な食材を計算する。この場合、例えば火曜日の献立作成処理が終了し「火曜日の夕食〜木曜日の昼食の献立」が作成されていれば、それに基づいて購入が必要な食材をまとめて計算する。
【００６３】
この購入食材計算処理に使用される情報は、以下のものである；
・献立作成処理で作成された献立、
・冷蔵庫、冷凍庫及び常温保存用収納庫等の保管庫１６に保管されている食材情報。
なお、食材情報には、食材の種類・分量・賞味期限が含まれており、残り少なくなった食材や賞味期限が近づいている食材についても追加購入の必要があると計算される。
【００６４】
図４（ｂ）に、計算された購入食材が例示されている。図４（ｂ）では、「購入食材・使いきり系」欄で少なくとも２〜３日程度以内に使い切る必要がある食材（主として生鮮食品）が示され、「購入食材・ストック系」欄で長期保存が可能な食材が示されている。各欄では、朝食・昼食用に購入する食材と、夕食用に購入する食材を区別して示している。各食材は「Ａ１」「Ｂ１」「Ｃ２」「Ｄ３」等、「ａ１」「ｂ３」「ｃ３」等の記号で示されているが、「Ａ」「ａ」等のアルファベットは食材の種類及び分量を表し、「１」等の数字は「冷蔵」「冷凍」「常温保存」の別を表している（「１」は「冷蔵」、「２」は「冷凍」、「３」は「常温保存」に対応する）。
【００６５】
上記のように購入食材計算処理が終了した後に、ユーザの食事予定が変更する場合も考えられる。例えば、購入食材計算処理を実行した時点では翌日の夕食は３人のユーザ全員で取る予定だったのが、あるユーザが欠けたり来客で人数が増えたりすることも考えられる。このような場合は、ユーザが入力端末１３から変更情報を入力することで、再度献立作成処理から実行し直すことが可能である。但し、予定変更日の食材発注処理が行われる前に実行し直さないと、変更前の献立に基づいたまま発注が行われてしまう。
【００６６】
（３）食材発注処理
食材発注処理は、上記購入食材計算処理が実行されたことを条件に、ユーザが食材を受取ることが可能な日ごとに所定時刻に開始される。この所定時刻は上述の通り、集配業者が食材を調達する時間や、調達した食材を配送するのに必要な時間等を考慮して設定される。図４（ｂ）の「受取可否」欄に受取可能な日が示されており、月曜日、火曜日、…土曜日の各午前１０時に食材発注処理が実行開始される。
【００６７】
また、図４（ｂ）の例においては、受取可能日に、夕食調理開始時刻に合わせて夕方１回だけ食材の配送が行われる。すると、発注が必要な食材は、その日の夕食用の食材と、次の受取可能日の朝食・昼食までに使用される食材となる。例えば、月曜日に購入が必要な食材は、月曜日の夕食に使用される「Ａ１」「Ｃ２」「Ｄ３」…、「ａ３」「ｂ３」と、翌日火曜日の朝食・昼食に使用される「Ａ１」「Ｅ３」「ｃ３」である。このように計算された発注食材が、図５の「受取食材・使いきり系」欄及び「受取食材・ストック系」欄に例示されている。なお、図５の月曜日の「発注食材・使いきり系」欄には、「Ａ１」が１つしか示されていない。これは、「Ａ１」が1回の食事では使い切れず、２回に亘って使用されるためである。また、土曜日の欄には、土曜日の夕食に必要な食材と、日曜日の朝食に必要な食材と、さらに翌週月曜日の朝食・昼食に必要な食材とが示されているが、これは日曜日が受取可能日でないためである（図４（ｂ）の「受取可否」欄を参照）。
【００６８】
受取可能日ごとに決定された発注食材情報は、食材集配業者サーバ３５に送信される。
【００６９】
（４）食材配送準備処理
食材配送準備処理は、上述の発注食材情報を食材集配業者サーバ３５が受信すると開始される。
【００７０】
食材集配業者サーバ３５は、発注食材情報を送信したホームサーバ２０のＩＰアドレス等に基づいて、サーバ３５内に蓄積されているユーザ（配送先）の氏名、住所、電話番号等のデータを取得する。また、発注食材情報に含まれる食材種類及び分量に基づいて食材が調達されると、食材集配業者サーバ３５は、各食材又はそれらの容器・包装等に添付するためのバーコード又は無線タグを発行する処理を行う。バーコード又は無線タグには、各食材の識別番号、種類、分量、冷蔵・冷凍・常温保存の別、食材調達元及び価格等の情報が含まれる。さらに、食材集配業者サーバ３５は、配送先の受取ボックス１５を解錠するための暗証番号を決定する。
【００７１】
また、食材配達業者サーバ３５は、配送のために出発する時刻を、ユーザの夕食調理開始時刻に基づいて決定する。本実施形態では、夕食調理開始時刻の１時間前に配送が完了する設定とし、配送に必要な時間を考慮して、出発時刻を決定する。例えば、図４（ｂ）の「夕食調理開始時刻」欄では月曜日の夕食調理開始時刻が１９：００と示されている。すると、配送完了時刻は１８：００と設定され（図５の「受取時刻」欄の時刻に対応）、また配送に必要な時間は１時間であるため、出発時刻は１７：００に決定される。
【００７２】
食材配達業者サーバ３５は、バーコード又は無線タグに付与した前記各情報及び受取ボックス１５を解錠するための暗証番号と、配送完了時刻（受取時刻）をホームサーバ２０に送信する。
【００７３】
（５）食材受取処理
ホームサーバ２０に送信された配送食材に関する上記各情報と、配送完了時刻（受取時刻）は、表示端末１４で表示される。これにより、ユーザが在宅中であれば、どの食材をいつ受け取ればよいのかを知ることができる。また、上記送信された暗証番号は、ホームサーバ２０から受取ボックス１５の解錠装置１５ｂに送信されている。
【００７４】
食材集配業者は、ユーザの住宅１（配送先）に到着すると、例えば呼び鈴を鳴らして、ユーザが在宅しているか否かを確認する。ここで、ユーザが在宅していれば、その時刻に食材が配送されることを事前に把握しているため、セールスや不審者等と誤解される虞が小さい。また、どの食材が配送されるかも把握しているため、受け渡しの手間と時間を節約することができる。
【００７５】
一方、ユーザが不在であることが確認されたら、食材集配業者が受取ボックス１５の解錠装置１５ｂに暗証番号を入力する。解錠装置１５ｂは、当該入力された暗証番号が、ホームサーバ２０から事前に送信された暗証番号と一致すると判定した場合、扉１５を解錠する。扉１５が解錠されて食材配送業者が食材をボックス１５内に納める際、バーコード読取装置１５ｃ又は無線受信装置１５ｃが各食材に添付されたバーコード又は無線タグの情報を自動的に読み取る。配送が予定されている食材の情報が読み取られた場合（食材が受け取り可能と判別された場合）は、表示パネル１５ｄで各食材の収納位置が示され、食材集配業者は、各食材を冷蔵部１５１、冷凍部１５２又は常温部１５３の適切な位置に収めることができる。一方、配送が予定されていない食材の情報が読み取られた場合（食材が受け取り可能と判別されなかった場合）は、表示パネル１５ｄで警告が表示され、食材集配業者がその食材を間違えて収容することが防止される。また、読み取られた食材の情報は表示端末１４で表示され、これによりユーザは配送が予定されている食材が届いたことを知ることができる。なお、表示パネル１５ｄで警告が表示されたにもかかわらず、予定されていない食材等の物品が収容された場合も、その旨の情報が表示端末１４で表示され、ユーザは配送が予定されていない物品が収容されたことを知ることができる。
【００７６】
なお、受取ボックス１５は、冷蔵部１５１及び冷凍部１５２を有するため、ある程度の日数は保存が可能であり、ユーザが当日に受け取ることができなくても支障はない。しかしながら、本実施形態では、ユーザが受け取り可能な日のみに配送を行うようにしている。これは、できるだけ新鮮な食材を配送するように便宜的に配慮したものである。
【００７７】
（受取ボックスの他の形態）
受取ボックスは、上記実施の形態に限らず、例えば以下に示した形態で実施することもできる。
【００７８】
・上記実施の形態では、食材配送業者が表示パネル１５ｄに表示された情報を参照して各食材を冷蔵部１５１、冷凍部１５２又は常温部１５３の適切な位置に収めていたが、受取ボックス内に小型の搬送用アームやリフト等を備え、自動的に振り分けるようにしてもよい。これにより、食材配送業者の手間及び時間を節約することができる。
【００７９】
・あるいは、図６（ａ）の玄関スペース簡略平面図に示すように、玄関ドア４７の脇の受取ボックス４５の奥にベルトコンベア等の搬送路４５４を設け、冷蔵部４５１、冷凍部４５２又は常温部４５３に自動搬送する構成としてもよい。この構成では、扉４５ａに加え、ボックス４５の奥壁を兼ねる扉４５ｅを設け、扉４５ｅにより搬送路４５４に通じる構成とし、配送が予定されていない食材の情報が読み取られた場合は扉４５ｅを閉めてその食材が搬送されないようにしてもよい。これにより、ユーザは、配送が予定されていた食材のみを受け取ることが可能となる。なお、この構成においては、搬送路４５４が移動手段に相当し、ボックス４５が物品受入部に相当し、冷蔵部４５１、冷凍部４５２又は常温部４５３が物品収容部に相当する。また、図６（ｂ）の玄関スペース内簡略側面図に示すように、玄関収納４６の下に、搬送路４５４、冷蔵部４５１、冷凍部４５２及び常温部４５３を設ければ、玄関スペースを有効に利用することができる。
【００８０】
・さらに、図７（ａ）の玄関スペース簡略平面図、及び図７（ｂ）の玄関スペース内・二階スペース内簡略側面図に示すように、受取ボックス５５の奥に搬送ダクト５８を設け、二階にある保管庫５６に食材を自動搬送するようにしてもよい。この場合、受取ボックスの奥壁を兼ねる扉５５ｅを設け、扉５５ｅにより搬送ダクト５８に通じる構成としてもよいし、保管庫５６に上記搬送路４５４、冷蔵部４５１、冷凍部４５２及び常温部４５３と同様の構成を備えてもよい。
【００８１】
（その他の実施形態）
・上記実施の形態では、食材購入を前提としていたが、食材を購入せず冷蔵庫、冷凍庫及び常温保存用収納庫に保管されている食材のみを使用する献立を作成してもよい。これにより、食材の無駄を省くことができる。
【００８２】
・上記実施の形態では、旬の食材情報や安売り情報を食材集配業者サーバ３５から取得していたが、インターネットから取得してもよい。これにより、より広範囲な情報を集めることができる。
【００８３】
・上記実施の形態では、食材集配業者に食材発注を行うようにしていたが、各食材業者に直接発注を行うようにしてもよい。
【００８４】
・上記実施の形態では、食材配達業者サーバ３５からホームサーバ２０へ、配送食材の各情報と、配送完了時刻（受取時刻）を送信していたが、ユーザが携帯する携帯端末３４へ送信してもよい。あるいは、受取ボックス１５で各食材の情報が読取られた時に、その情報を携帯端末３４へ送信してもよい。これにより、ユーザは外出していてもどの食材がどの時間に配送される予定か、あるいは配送予定の食材が届いたか（又は配送予定の食材でない物品が収容されたか）を把握することができる。
【００８５】
・上記実施の形態では、受取ボックス１５に収容される物品は食材とされていたが、例えば食材以外の宅配物、郵送物等の他の物品が収容される構成としてもよい。この場合、配送予定が事前にわかっている物品に限らず、配送予定が事前にわかっていない物品も収容できるように、扉１５ａを施錠せずに解錠状態としておく。そして、バーコード読取装置１５ｃ又は無線受信装置１５ｃに代えて各種センサを設け、物品の大きさ・形状・色・重量・外装の文字等の情報を読み取る構成とする。また、予め想定可能な物品の大きさ・形状・色・重量・外装の文字等の情報を登録しておく。そして、センサによって読み取られた情報が、予め登録しておいた情報と一致するか否かを判別し、一致しないと判別した場合は、表示パネル１５ｄで警告を表示するとよい。これにより、配送業者による物品の入れ間違いや、いたずらを有効に防止できる。あるいは、ボックス４５に奥壁を兼ねる扉４５ｅが設けられている場合、扉４５ｅを閉めてその物品が搬送されないようにしてもよい。これにより、予め登録された情報に一致する物品のみをユーザが受け取ることが可能となる。
【図面の簡単な説明】
【００８６】
【図１】システムの全体構成の概略を示す図。
【図２】受取ボックスの構成の概略を示す図。
【図３】システムが実行する処理の概要を示す図。
【図４】献立作成例を示す図。
【図５】発注食材の例を示す図。
【図６】受取ボックスの他の実施例を示す図。
【図７】受取ボックスの他の実施例を示す図。
【符号の説明】
【００８７】
１…住宅、１１…トイレ内設備、１２…風呂内設備、１３…入力端末、１４…表示端末、１５…受取ボックス、１６…保管庫、２０…ホームサーバ、３１…学校サーバ、３２…職場サーバ、３３…病院サーバ、３４…携帯端末、３５…食材集配業者サーバ。
【図１】
2009125416.tif 000003
【図２】
2009125416.tif 000004
【図３】
2009125416.tif 000005
【図４】
2009125416.tif 000006
【図５】
2009125416.tif 000007
【図６】
2009125416.tif 000008
【図７】
2009125416.tif 000009